(57)【要約】【課題】少ない部品点数で、加工精度に寄らずに操作品位を向上し、安定した回転操作が得られる防滴構成を提供すること。【解決手段】外装カバーと、外装カバーに形成された穴部に回転可能に軸支持された、操作部材と、操作部材を固定する固定部材と、外装カバーに装着される、防滴部材があり、防滴部材は、断面が略正方形のリング状の弾性部材で、操作部材と固定部材は固定保持され、操作部材と一緒に回転する固定部材の斜面と防滴部材の角部が当接することを特徴とする。【選択図】  図２
2015145898.tif 000002
【特許請求の範囲】
【請求項１】
外装カバー（１）と、
前記外装カバー（１）に形成された穴部に回転可能に軸支持された、操作部材（２）と、
前記操作部材（２）を固定する固定部材（３）と、
前記外装カバー（１）に装着される、防滴部材（４）があり、
前記防滴部材（４）は、断面が正方形のリング状の弾性部材で、
前記操作部材（２）と前記固定部材（３）は固定保持され、前記操作部材（２）と一緒に回転する固定部材の斜面（３ａ）と防滴部材の角部（４ａ）が当接することを特徴とする
操作部の防塵防滴構造。
【請求項２】
前記防滴部材（４）の外径と、前記外装カバー（１）の前記防滴部材（４）の取り付け面は同一径であることを特徴とする請求項１に記載の防塵防滴構造。
【請求項３】
前記固定部材（３）は前記斜面（３ａ）を有し、前記防滴部材（４）の対角線（４ｂ）と平衡で当接することを特徴とする請求項１又は請求項２に記載の防塵防滴構造。
【発明の詳細な説明】
【技術分野】
【０００１】
本発明は、機器操作部の防塵防滴構造に関し、特に回転部材あるいは搖動部材の防塵防滴構造に関するものである。
【背景技術】
【０００２】
従来の回転操作部の構成の参照例としては、特許文献１では、回転可能に軸支持された操作部材の回転軸外周で且つ外装カバーと固定部材との間に、リング状の弾性のあるシール材と、シール材と略同一径の平ワッシャとを有す防滴構成をしていた。
【０００３】
また特許文献２では、相対的に回転運動あるいは揺動運動する２つの円筒形部材の、いずれか一方の対向面に設けられた略矩形断面の環状の装着溝に装着されるシール装置が開示されている。このようなシール装置は、相手部材の運動面に当接する合成樹脂製の略矩形断面のシールリングと、該シールリングの受圧側の軸方向側面にスリップリングとを共回り状態に組み合わせて装着させる。そして、スリップリングとシールリングとの摩擦力に比較して、スリップリングと装着溝との摩擦力をより大きくしている。
【先行技術文献】
【特許文献】
【０００４】
【特許文献１】特開２０００-３５２４６６号公報
【特許文献２】特許第３９４５６６１号明細書
【発明の概要】
【発明が解決しようとする課題】
【０００５】
しかしながら、上述の特許文献に開示された従来技術では、操作部材であるダイヤルのラジアルガタは、操作部材と外装カバーの回転軸の寸法精度に依存し、寸法公差のバラつきによっては、操作部材のガタツキが発生していた。
【０００６】
そこで、本発明の目的は、加工精度に寄らず、ラジアルガタを抑えた操作品位の向上、安定性した回転が得られる防滴構成を提供することである。また本発明においては、スリップリングを廃止するができ、少ない部品点数で、安定した防塵防滴性能を持つ回転操作を提供することができる。
【課題を解決するための手段】
【０００７】
上記目的を達成するために、本発明は、
外装カバーと、
外装カバーに形成された穴部に回転可能に軸支持された、操作部材と、
操作部材を固定する固定部材と、
外装カバーに装着される、防滴部材があり、
防滴部材は、断面が略正方形のリング状の弾性部材で、
操作部材と固定部材は固定保持され、操作部材と一緒に回転する固定部材の斜面と防滴部材の角部が当接することを特徴とする。
【０００８】
上記構成からなる操作部の防塵防滴構造において、次のような各種の好適な実施態様が考えられる。例えば、防滴部材の外径と、外装カバーの防滴部材の取り付け面は略同一径であることを特徴とする。さらに、上記構成に加え、固定部材は斜面を有し、防滴部材の対角線と略平衡で当接することを特徴とする。
【発明の効果】
【０００９】
本発明によれば、少ない部品で、安定した防塵防滴性能を持つ回転操作を提供することができる。
【図面の簡単な説明】
【００１０】
【図１】本発明の実施形態におけるデジタル一眼レフカメラの背面側の外観図である。
【図２】（Ａ）は、本発明の実施形態におけるデジタル一眼レフカメラの操作部の断面図である。（Ｂ）は、（Ａ）の部分拡大図である。
【図３】本発明の実施形態におけるデジタル一眼レフカメラの防滴部材の斜視図である。
【図４】本発明の実施形態における防滴部材の装着状態を模式的に示した図である。（Ａ）は、実施例である。（Ｂ）は、従来例のＯリングである。
【発明を実施するための形態】
【００１１】
以下に、本発明の好ましい実施の形態を、添付の図面に基づいて詳細に説明する。
【００１２】
図１は、本発明の実施形態に関わるデジタル一眼レフカメラの背面側の外観図である。図１に示すカメラの背面側の操作部材には、回転する操作部材として操作レバー２、８方向に倒して操作する可動スイッチ５が設けられている。操作レバー２は、カメラの各種機能の設定、可動スイッチ５は各種パラメータを設定するために用いられる。なおカメラの背面側には、ビューファインダーや液晶表示装置、各種ボタンやキーが配置されている。
【００１３】
図２（Ａ）は、図１における操作レバー２の断面図である。図２（Ａ）においては、１は外装カバーであり、図の上側が操作部材の外観側、つまりカメラ外部となる。２は操作レバーであり、外装カバー１に形成された穴部に回転可能に軸支持される。３は操作レバー２を固定する固定部材であり、４は外装カバー１に装着される防滴部材である。操作レバー２の内部には、８方向に倒れる可動スイッチ５が設けられ、可動スイッチ５と操作レバー２の間には、第２の防滴部材６が設けられている。外装カバー１に取り付けられた操作レバー２と固定部材３は、第２の防滴部材６を挟んで、ビス１０で固定保持され、それぞれが一体となって回転する。可動スイッチ５は外周の一部に凹部５ａを有し、凹部５ａに第２の防滴部材６が嵌合する。そして、可動スイッチ５を動かすと、第２の防滴部材６も共に動き、第２の防滴部材６は、可動スイッチ５と外装カバー１との間の水や塵埃の侵入を防ぐことができる。
【００１４】
図２（Ｂ）は、図２（Ａ）の防滴部の拡大断面図である。固定部材３は斜面３ａを有しており、斜面３ａと防滴部材４の角部４ａを接触させて、外装カバー１に圧着されている。斜面３ａは、防滴部材４の断面の対角線４ｂと略平衡である。また防滴部材４の外径は外装カバー１の取り付け面と略同一径であり、外装カバー１と４ｃ、４ｅの２辺で接触する。図３に、外装カバー１に取り付けられる防滴部材４の斜視図を示す。防滴部材４は、平面形状は真円状で、断面が略正方形の弾性部材であり、全体が弾性変形可能なゴム部材から形成される。
【００１５】
図２（Ｂ）に示したような防滴部材の防塵防滴構造では、防滴部材４の角部４ａが固定部材３の斜面３ａに接触し、外装カバー１と圧着することで、外装カバー１と操作レバー２の隙間からの水や塵埃などの浸入を確実に阻止することができる。
【００１６】
図４は、防滴部材４の装着状態を模式的に示した図である。（Ａ）は、実施例であり、（Ｂ）は、従来例のＯリングである。防滴部材４のつぶし量は、斜面３ａ（３ａ’）と防滴部材４との間の寸法により、防滴部材４の圧縮による変形量、つまり、固定部材３との接触面積４ｓで決まる。例えば、斜面３ａが部品公差のばらつきで、斜面３ａ’となった場合、つぶし量が増え、圧縮荷重も大きくなる。斜面３ａに接触するように、防滴部材４を装着した場合、防滴部材４の断面が略正方形の接触面積４ｓの方が、円形のＯリングの場合の接触面積４ｏよりも接触面積は小さくなる。
【００１７】
そのため、この接触面に発生する摩擦力を軽減することができ、防滴部材４や固定部材３などの部品公差による操作荷重への影響も小さくなり、安定した操作性が得られる。また、防滴部材４が固定部材３から受ける弾性力のｚ方向とｘ方向の分力は等しくなる。ｚ方向の弾性力は、固定部材３に対して、カメラの内部側の方向に力を与え、固定部材３とビス１０で一体となった操作レバー２をカメラ内部側へ引き込む。そのため、操作レバー２のスラスト方向のガタツキを抑制することができ、操作部の品位が向上する。また、ｘ方向の弾性力は、操作レバー２のラジアル方向に働く力であり、操作レバー２のラジアルガタを抑制する。
【００１８】
従来ラジアルガタは、操作部材２と外装カバー１の回転軸の出来に依存し、部品公差のバラつきによっては、操作部材２のガタツキが発生していた。そのため高い加工精度が要求されていたが、本実施形態では、部品精度に寄らず、少ない部品点数で、ラジアルガタを抑えた操作品位の向上、安定性した回転が得られる防滴構成が得られる。
【００１９】
以上、本発明の好ましい実施形態について説明したが、本発明はこれらの実施形態に限定されず、その要旨の範囲内で種々の変形及び変更が可能である。
【符号の説明】
【００２０】
１  外装カバー
２  操作部材
３  操作部材を固定する固定部材
３ａ  固定部材の斜面部
４  防滴部材
４ａ  防滴部材の角部
【図１】
2015145898.tif 000003
【図２】
2015145898.tif 000004
【図３】
2015145898.tif 000005
【図４】
2015145898.tif 000006